(57)【要約】  演算装置は、セッション発信者と１人或はそれ以上の受信者との間の通信セッションが、１つ或はそれ以上の通信チャネルを介して自動的にセットアップされるように、通信の発信者及び受信者のプレゼンス情報、プロファイル情報及び好み情報を組み合わせる。選択されるチャネルは、通信の発信者及び受信者のプレゼンス、プロファイル及び好みにおいて表される制約に最適に適合するチャネルである。
2009521038.tif 000002
【特許請求の範囲】
【請求項１】
発信者側演算装置と受信者側演算装置との間の通信セッションの開始により、複数の利用可能な通信チャネルのうち１つ或はそれ以上の通信チャネルが自動的に選択されるように演算装置を動作する方法。
【請求項２】
前記１つ或はそれ以上の通信チャネルの前記選択は、前記発信者側演算装置が収集した前記通信セッションの発信者の状況及び好みに関する情報に基づいて行われる請求項１に記載の方法。
【請求項３】
前記１つ或はそれ以上の通信チャネルの前記選択は、前記発信者側演算装置が収集した前記通信セッションの１人以上の受信者の状況及び好みに関する情報に基づいている請求項１又は２に記載の方法。
【請求項４】
前記情報は、
ａ．現在保持されているハードウェア状態情報
ｂ．現在保持されているネットワーク状態情報
ｃ．現在の装置プロファイル
ｄ．公開されたプレゼンス情報
ｅ．前記装置の所有者の好み
ｆ．前記装置に保持された連絡先データ
ｇ．前記装置が接続されているか又は接続可能であるネットワークから入手可能な状態情報
ｈ．前記発信者側装置又は前記受信者側装置のいずれかに保持された他の任意のデータ記憶装置
のうちの１つ或はそれ以上を含むデータ記憶装置から前記発信者側演算装置により収集される請求項２又は３に記載の方法。
【請求項５】
前記情報は、前記提案された通信に特有の制約又は好みを含む請求項４に記載の方法。
【請求項６】
前記情報は、
ａ．前記通信の周知の形式又は内容
ｂ．前記発信者又は前記受信者の場所
ｃ．前記発信者又は前記受信者の社会的及び物理的状況
ｄ．時刻
ｅ．利用可能な時間
ｆ．前記通信の費用
ｇ．前記通信の緊急度
ｈ．前記通信に要求される品質
ｉ．対話の必要性
のうちの１つ或はそれ以上を含む請求項２から５のいずれか１項に記載の方法。
【請求項７】
１つ或はそれ以上の通信チャネルの前記選択は、第１に利用可能な通信チャネルを確認し、第２に前記利用可能な通信チャネルのうち前記発信者の表明された制約及び好みに適合するか又は最も一致する最も望ましい通信チャネルを評価することにより行われる請求項２乃至６のいずれか１項に記載の方法。
【請求項８】
通信セッションの開始が不可能である又は望ましくない場合、その開始が可能であり且つ望ましい時間まで延期される請求項１乃至７のいずれか１項に記載の方法。
【請求項９】
前記演算装置に組み込まれた接続マネージャにより実現される請求項１乃至８のいずれか１項に記載の方法。
【請求項１０】
前記接続マネージャは、前記演算装置内の通信ソケット部品とインタフェースするように構成される請求項９に記載の方法。
【請求項１１】
単一の通信セッションの開始の結果、複数の通信セッションが発生する請求項１乃至１０のいずれか１項に記載の方法。
【請求項１２】
請求項１乃至１１のいずれか１項に記載の方法に従って動作するように構成される演算装置。
【請求項１３】
演算装置を請求項１乃至１１のいずれか１項に記載の方法に従って動作させるためのオペレーティングシステム。
【発明の詳細な説明】
【技術分野】
【０００１】
本発明は、移動演算装置において、最も有り得る通信セッションを自動的に判定及びセットアップする方法を開示する。
【背景技術】
【０００２】
１００年前、直接会って話すことのできない別の人と通信するための選択肢は非常に限定されていた。通常の郵便は好適な媒体であった。電報は広く利用可能であったが、短い緊急メッセージの場合にのみ実用的であった。電話システムは依然として初期段階にあり、その後の数十年に亘って徐々に量販市場向け製品になった。２５年前という最近まで、郵便、電報及び電話は、大部分の人にとって主な専用通信手段であった。電子メールは、ＡＲＰＡＮＥＴ（今日のインターネットの前身）に接続される数少ない機関にほぼ限定され、ビジネスの大半は、短い電気通信のために国際加入電信網を使用した。
【０００３】
しかし、約１９８０年以降、消費者演算技術を形成するプロトコル及びハードウェアの双方の成長は、通常の消費者が利用可能な範囲内の益々多くの電気通信方法をもたらしている。
【０００４】
・固定電話回線に加えて、人々は、移動携帯電話ネットワークを介して互いに会話するという選択肢を更に有する。
【０００５】
・回線交換式固定及び移動テレフォニーに加えて、パケット交換式インターネットテレフォニー（ＶｏＩＰとして周知である）の使用が増加している。これは、固定又は無線インターネット接続を介して使用可能である。
【０００６】
・従来の郵便の代わりに、文書通信のために、電子メール及び移動電話におけるテキストメッセージング（ＳＭＳ）の使用が増加している。
【０００７】
・ファックスからマルチメディア・メッセージング（ＭＭＳ）に至る範囲の種々の形態の画像通信が開発された。また、ビデオ通話の普及が進むことが期待される。
【０００８】
・種々の形態のインスタントメッセージング（ＩＭ）が、音声テレフォニーの即時性とテキストの経済性とを組み合わせるために１対１で使用される。インターネットチャット技術は、これを多対多の通信に対して使用可能にする。
【０００９】
・全く新しい通信パラダイムが導入されている。例えば、セルラネットワークを介するプッシュ・トゥ・トーク（ＰｏＣ）により、容易で安価な多対多の音声通信が可能になり、ホワイトボーディングにより、多対多の視覚的通信が可能になる。
【００１０】
・Doom2等のゲームにおいて使用されるプレーヤ通信の種類等の特定コンテキスト向け通信が導入されている。
【００１１】
本発明の説明において、これら種々の方法を定義するために使用されるソフトウェアプロトコル及びソフトウェアインタフェースと組み合わされる物理媒体及び物理インタフェースの各例は、通信チャネルと呼ばれる。本発明は、これらのチャネルのうち任意の個々の通信セッションに対して最適なチャネルを選択することに関する。尚、通信方法の上記一覧は、本発明の範囲を示すことのみを意図し、本発明の範囲を限定することを意図しない。
【００１２】
これらの通信チャネルのいくつか又は全てを利用可能な現代の演算装置は、デスクトップ及びラップトップコンピュータ、パーソナルデジタルアシスタント（ＰＤＡ）、移動電話、スマートフォン、セットトップボックス及びゲームコンソール、上述の装置の１つ以上の種類の機能性を組み込んだ集中型装置、並びにデジタルカメラ及びデジタル音楽プレーヤ等の産業用及び家庭用電子機器を含むが、これらに限定されない。高性能スマートフォン等の汎用性の最も高い演算装置は、考えられる通信チャネルのほぼ全てを使用できる。
【００１３】
しかし、利用可能なチャネルのうち、演算装置の所有者又はユーザ（発信者）にとって、任意の特定の状況において別の人（受信者）との通信を開始する場合、使用するのに最適なチャネルに関する決定は、以下の要因を含む多くの要因に依存する。但し、要因はこれらに限定されない。
【００１４】
ａ）所望の通信の種類；例えば、ＭＭＳ又はファックスは画像を送信するために使用可能であるが、音声通話には使用できない。
【００１５】
ｂ）発信者の場所；セルラの有効範囲外の場所において、移動携帯電話の発呼又はＳＭＳの送信を試すことは無意味である。
【００１６】
ｃ）発信者の社会的及び物理的状況；一方の当事者が礼拝中、コンサート、或は解体現場等の非常に騒がしい環境にいる場合、音声通話が最も好ましい選択ということはまずない。
【００１７】
ｄ）受信者が利用できることがわかっている機能；そのような機能には、ファックスは受信できないが、電子メールの添付物は受信できるといったものがある。
【００１８】
ｅ）利用可能かどうかの受信者のプレゼンス情報；プレゼンス技術により、自分が接触可能であるか否か、及び自分への接触方法を人々が通知できることが当業者にはわかるだろう。例えば、ある人が自分は音声通話に応答しないことを通知していた場合、その人への発呼を試すことは無駄である。
【００１９】
ｆ）時刻；緊急ではない情報を真夜中に送出する場合、音声メール、電子メール又はＳＭＳ等の蓄積変換データを受け付ける通信チャネルは、音声通話又はインスタントメッセージング等の受信者の参加を必要とするチャネルよりはるかに適切である。
【００２０】
ｇ）通信コスト；これは、使用中の通信ネットワーク、時刻（電話通話はオフピークに安価であることが多い）及び発信者の場所に応じて変化してもよい。例えば、インターネットプロトコル（ＩＰ）を使用する場合、ある場所では無料の８０２．１１無線ネットワークポイントにアクセスできるが、他の場所では有料のポイントへのアクセスしかできない場合がある。
【００２１】
ｈ）通信の緊急度；緊急時、電子メールはインスタントメッセージング又はＳＭＳより不適切だが、受信者が応対できない場合、通信は、発信者及び受信者の双方が応対可能であるとわかるまで自動的に遅延される。
【００２２】
ｉ）通信に要求される品質；正確性が特に重要である場合、特に、音声通信が騒がしい場所において又はセルラネットワークを介して行われる際には、テキスト通信は音声よりはるかに信頼性が高い。
【００２３】
ｊ）対話の必要性；いくつかのチャネル（ＳＭＳ、ＭＭＳ、ファックス、電子メール、音声メール）は基本的に一方向的であり、他のチャネル（音声通話、ＰｏＣ、ＩＭ，ホワイトボード）は本質的に、より双方向的である。
【００２４】
ｋ）発信者の気分又は発信者が有する時間；例えば、発信者は電話会話等の長くなる可能性のある対話セッションを行う時間が無く、音声メール又はＳＭＳ等の一方向通信を好む場合がある。これは、受信者によって異なる場合がある。
【００２５】
尚、上述の例は例示するものであって限定するものではない。しかし、通信を発信しようとする演算装置のユーザ又は所有者が、これらのチャネルのうち、通信を希望する任意の個々の受信者に対して最適なチャネルを選択してセットアップする容易な方法は現在存在しない。
【発明の開示】
【発明が解決しようとする課題】
【００２６】
この問題を部分的に処理できるいくつかの解決策が周知である。
【００２７】
・http://ths.teleware.com/applications/in.htm、
http://www.pickaweb.co.uk/070-numbers.htm又は
http://www.unifier2.comにおいて説明されるような融通性の高い通信機能を、場所に関係なく通話受信者に提供しようとするパーソナル仮想電話番号がある。この解決策を使用する場合、発信者は単一の接触点（パーソナル電話番号）を常に有し、通話は、その接触点から、受信者により選択された場所に転送される。これは、陸線、移動電話番号、国際番号、ファックス装置、音声からテキストへの変換機能、音声メール又は伝言サービス（これは、多くの場合、電子メール、ファックス又はＳＭＳテキストメッセージを事前に要求されたように受信者に送出するように指示される）であってもよい。
【００２８】
・実際にはテレフォニーにのみ当てはまるということ以外にも、これは、実際には、発信者とって最適なチャネルを判定するという問題ではなく、受信者にとって最適と思われる通信チャネルを判定するという異なる問題に対処している。従って、受信者は、移動する度に自身の場所を手動で再登録し、且つ全ての着呼が転送される電話番号を手動で提供する必要がある。発信者はどの段階においてもこの処理を制御できず、受信者が単一の種類の通信チャネルのみを扱うように見えるため、発信者は双方にとって最適な通信チャネルを選択することができない。通話を音声メールに転送するか又はメッセージの内容をＳＭＳとして送出する伝言サービスに転送するかを決定するのは受信者であり、これは、発信者の必要度及び好みを考慮することなく行われる。
【００２９】
・プレゼンス技術（上述した）は、主に、潜在受信者の状態に関する情報を潜在発信者に搬送するために使用される。潜在受信者及び潜在発信者は、応対可能である、応対可能であるが忙しい、オフラインである、昼食のため外出している等の場合がある。プレゼンスにより搬送される情報は、最適な接触手段を更に提供できる。例えば、ある人が昼食のため外出している場合、プレゼンス情報は、その人が電話に応答するか否か、又はその人が戻って来てから電子メールに返答できるかを発信者に知らせる。この技術により、発信者は、指定受信者が応対可能であるか否か、利用できる通信チャネル及び好適なチャネルを知ることができる。この技術の説明は、
http://www.followap.com/shtml/solution_iFollow_IM&_presence_server.shtmlで見つけられる。
【００３０】
しかし、発信者が受信者と接触するためには、双方がプレゼンス情報を自分達の好みと一致させ、上述の判定基準に従って、適切な通信チャネルを選択する必要が依然としてある。多くの場合、電話機等の演算装置は多くの種類の通信チャネル（例えば、多者間通話）をセットアップするのが遅く、処理が発信者による相当な介入を必要とするため、これは時間のかかる手動処理である。
【００３１】
従って、本発明の目的は、演算装置において通信チャネルを選択する改善された方法を提供することである。
【課題を解決するための手段】
【００３２】
本発明の第１の態様によれば、発信者側演算装置と受信者側演算装置との間の通信セッションの開始により、複数の利用可能な通信チャネルのうち１つ以上の通信チャネルが自動的に選択されるように演算装置を動作する方法が提供される。
【００３３】
本発明の第２の態様によれば、第１の態様の方法に従って動作するように構成される演算装置が提供される。
【００３４】
本発明の第３の態様によれば、演算装置を第１の態様の方法に従って動作させるオペレーティングシステムが提供される。
【発明を実施するための最良の形態】
【００３５】
次に、添付の図面を参照して更なる例として本発明の実施形態を説明する。
【００３６】
図１は、本発明に係る演算装置アーキテクチャの実施形態を示す図である。
【００３７】
本発明により、最適な通信チャネルを選択する際に必要とされる手間の多くを自動化することができる。これは、時間を節約し、費用を節約し、誤通信又は不適切な通信を試みるリスクの回避を助長することにより、本発明を組み込んだ演算装置の有用性を増加する。
【００３８】
本発明における第１のステップは、発信者が、通常は自分の演算装置のアドレス帳又は連絡先アプリケーションから、通信に対する指定受信者を選択することである。
【００３９】
本発明における第２のステップは、潜在受信者に関する全ての可能な情報を収集することである。
【００４０】
このデータの一部は、発信者の演算装置に既に存在してもよい。例えば、連絡先データベースは、受信者の地理的場所と共に多くの可能なチャネルに関する情報を含むことが非常に多い。特に、英国特許出願第０３１３３８５．７号公報「Automatic behaviour modifications in Symbian OS」又は英国特許出願第０５１０７９４．１号公報「Location Based Push Presence and Profile on a Wireless Communications Device」の開示を実現した通信装置を受信者が使用している場合、プレゼンス機構を使用することにより、更なるデータにアクセスできる。これら２つの開示は、プレゼンス情報を向上し、それをより正確且つ広範にする。種々の帯域外通信機構、例えばパブリックロケーションサーバ又は通信ネットワークを介して、更に多くのデータを収集することが可能である。
【００４１】
収集される受信者情報は、以下の情報の内のいずれか又は全てを含むことができる。
【００４２】
ａ．利用可能な通信チャネル
ｂ．WiFi、ＢＴ、ＧＳＭ等の信号到達範囲
ｃ．受信者の移動装置のバッテリレベル
ｄ．地理的場所（例えば、レストラン内、国内）
ｅ．好適な通信チャネル
ｆ．気分（社交的な気分、内省的な気分、話したい気分、メッセージを受信したいが会話をしたくない気分、ゲームを実行したい気分）
ｇ．社会生活状況（会議中、劇場内、屋外、旅行中、睡眠中）
ｈ．使用中の通信チャネルがあるか
ｉ．時刻（現地時間；受信者が発信者と同一の時間帯にいない場合、より重要である）
尚、複数の潜在受信者がいる場合、この情報は、各受信者毎に自動的に収集される。
【００４３】
本発明における第３のステップは、潜在通信セッションに対する発信者の特有の好みを収集することである。
【００４４】
発信者にとって最適な通信チャネルの選択に影響を与える可能性のある要因の一部の一覧は上述した。
【００４５】
この情報の一部は、装置の状態、発信者のカレンダー又は予定表情報、或は公開されたプレゼンス情報の一部として装置上に既に存在するため直ちにわかる。
【００４６】
他の情報は、現在の装置プロファイルから確認されてもよい。これらは、演算装置、特に、多くの異なるプロファイルが一般に提供される高性能移動電話において周知になってきている。これらのプロファイルは、例えば、呼出し音及び振動等の項目を含むユーザ呼出しに対して電話機が挙動する方法を１つにまとめる。通常、プロファイルは「会議」、「屋外」、「サイレント」、及び当然「通常」等の名称を有し、これら状況の特定の組である場合に、装置が社会的に適切な方法で挙動すること保証するように装置を適合させる。通常、プロファイルは可聴ユーザ呼出しを変更するために使用されるが、当然、これらは装置に対して任意の種類の「状況に適した」挙動を定義するように拡張されてもよい。例えば、いくつかの状況において、キーを押す音は呼出し音と同様に煩わしく、写真暗室等のある特定の状況において、可視プロンプトは悪影響を及ぼす可能性がある。
【００４７】
他の情報は、上述の英国特許出願第０３１３３８５．７号公報において開示されるような方法により自動的に取得されてもよい。更に多くの情報は、上述の英国特許出願第０５１０７９４．１号公報において開示されるような方法により取得されてもよい。
【００４８】
しかし、いくつかの情報は、性質上、セッション毎に収集される必要があってもよい（オプションとして）。このデータは以下のものを含んでもよい。
【００４９】
ａ．発信者が通話に対して費やしてもよいと思うもの（通常、これは有料又は無料の二者択一である）
ｂ．通信される必要のある情報の種類（音声、画像、他のデータ）
ｃ．発信者が必要とする帯域幅（これは、期待される通信データの量に依存する。ＳＭＳは低帯域で動作するが、ビデオテレフォニーは高帯域を必要とする）
ｄ．セッションは対話型である必要があるか、又は一方向型である必要があるか
ｅ．通信は緊急か否か
尚、適切なデフォルト（上述の英国特許出願第０３１３３８５．７号公報において開示される技術に類似した技術を使用して、装置プロファイルにリンクされてもよい）がこの種の情報に対してセットアップされ、それによって発信者に対する負担を大幅に軽減する可能性は非常に高い。ユーザインタフェースの入念な研究及び設計により、そのようなデフォルトが大部分の通信に対して適切であると判明することが予期される。
【００５０】
本発明における第４のステップは、最初の３つのステップにおいて収集された情報を一致させることである。殆どの場合、この手順は単純且つ自動的であり、ユーザには不可視である。
【００５１】
しかし、いくつかの場合において、ユーザはこの時点で決定を行うよう求められてもよい。例えば、複数の受信者を含む対話型通信（電話会議等）がセットアップされ、受信者の１人が対話型セッションに応対できない場合、一般に、ユーザは以下の点を尋ねられる。
【００５２】
・応対できない人を含めずにセッションを進めるか
・応対できない人が応対可能になるまでセッション全体を延期するか
・全ての受信者に対して、適切な別の非対話型蓄積変換チャネル（ＳＭＳ、電子メール又はファックス）にセッションを移動するか
・応対できない受信者に対してのみ別のチャネルを使用して通信を送信し、それ以外の受信者に対しては要求された通り対話型セッションを進めるか
前のステップにおいて説明したように、適切なデフォルトはそのような対話を二重化してもよい。
【００５３】
本発明における第５のステップは、発信者がセッションを開始することである。通常、これは１つの単一動作（例えば、電話機の通話ボタンの押下又はメニュー項目の選択）を必要とする。この時点で、新規の方法は以下を実行する。
【００５４】
ａ．必要なアプリケーション及びサービスを演算装置上で開始する。これらは、ＳＭＳ、チャット、音声又はゲームを含んでもよい。
【００５５】
ｂ．関連するアプリケーション、アドレス及びプロトコルを使用して受信者に接続する。
【００５６】
その後、発信者は、選択されたチャネルを使用して、被呼者と通信できる（例えば、会話、テキスト、ホワイトボード又はゲームを実行できる）。
【００５７】
受信者の中に応対できない人がいる場合（その人のプレゼンス情報が不正確だった可能性がある）、発信者は、上述の第４のステップにおけるオプションと同一のオプションが与えられる。
【００５８】
本発明に適したアーキテクチャの実現例を図１に示す。このアーキテクチャは３つの垂直なプレーンを示す。図１の右側の垂直なプレーン２は、通信セッションの管理プレーンを示し、図の中央に接続プレーン４が示され、図の左側にデータプレーン６が示される。図１に示す実現例の全てのプレーンは通信ソケット層８と対話する。ソケットが通信サブシステムの標準アーキテクチャであることが当業者には更にわかるだろう。
【００５９】
接続マネージャ（ConnManager）オブジェクト１０（管理プレーン２内）は、接続を管理し、上記の第１のステップ、第２のステップ及び第３のステップにおいて概要を述べた情報を収集し、その情報を使用して通信セッション中に使用されるポリシーを定義する役割を有する。接続マネージャオブジェクト１０は、システムの接続マネージャプロバイダを介するプラグインとして提供されてもよい。最初に、接続マネージャオブジェクト１０において、本発明の機能性の多くが実現される。接続オブジェクト１２（制御プレーン４内）は、通信サービスへの接続を管理する役割を有し、サブ接続オブジェクト１４（同様に、制御プレーン４内）は、選択されたサービス内の利用可能な最適なチャネルを選択する役割を有する。図１に示すように、接続オブジェクト１２及びサブ接続オブジェクト１４もプラグインとして提供されてもよい。最後に、ソケットプレーンオブジェクト（データプレーン６内）は、サブ接続オブジェクト１４により選択された最適なチャネル内の実際のデータを管理する役割を有する。このオブジェクトもプラグインとして提供されてもよい。
【００６０】
このアーキテクチャにより、通信セッションポリシーが上述で開示された種々の入力に基づいて定義される。尚、そのようなポリシーを定義するための前提条件は、外部からのポリシー定義条件の全てが演算装置により収集されているか又は収集可能であり、要望に応じて接続マネージャオブジェクト１０に提供されることである。接続マネージャオブジェクト１０において、種々の制約は一致され、最適なチャネルに関する決定が行われる。
【００６１】
簡潔にするために、図１は全ての可能な使用法及び例を示すものではない。尚、図１は本発明を例示するものであって何ら限定するものではないことが意図される。多くの他の可能な実現例は当業者には容易であろう。図示されるアーキテクチャ例において種々のユースケースが適応される方法は、当業者には容易に理解されるであろう。
【００６２】
そのようなユースケースの例は、今から４時間以内（双方にとって適切な時間制約）の任意の時間に会話が行われるという緊急度制約と、通話が最も経済的な方法で行われるべきであるというコスト制約とを伴って、受信者との間に電話による会話が確立されることを発信者が要求する場合である。この場合、接続マネージャオブジェクト１０は、今から４時間の間の発信者及び受信者の双方の応対可能性情報を収集する（例えば、発信者のカレンダー及び受信者のプレゼンスデータを調べることにより）。次に、接続マネージャオブジェクトは、２人のユーザを接続する最も経済的な方法を判定する（双方の場所情報及び各ユーザが利用可能な装置に基づいて）。次に、接続マネージャオブジェクトは、時間の定められたイベント、トリガ又はアラームを設定するために演算装置において利用可能なあらゆる機能を使用して、通話を適切にスケジュールする。
【００６３】
別のユースケースは、発信者が複数の受信者との通信を要求する場合である。この場合、接続マネージャオブジェクト１０は全てのユーザに対する必要な情報を収集し、全てのユーザを適切な時間に接続する最適な方法を判定する。上述のように、これは、異なるユーザに対して複数の接続サービスを使用することを含み、この場合、接続マネージャオブジェクトは、要求に対して２つ以上の接続をセットアップする必要がある。
【００６４】
いくつかの利点が本発明から得られることが上記の開示から理解される。本質的に、本発明は、場合によっては全く別のソースから収集される通信の発信者及び受信者の双方の種々の制約を組み合わせる方法を開示する。これにより、１人又は複数の受信者を含む通信セッションを最も適切な通信チャネルを用いて自動的且つ効率的にセットアップすることが可能になる。複数の受信者を含む場合は有用性が特に利点であるが、受信者が１人の場合に得られる効率の向上も大きい。発信者は、受信者の特定のアドレス又はチャネルではなく、受信者を選択するだけでよい。
【００６５】
移動電話は可能なチャネルの範囲が最も広い傾向があるため、本発明は、特に移動電話に適用可能である。しかし、本発明は、通信チャネルの選択を介して通信が可能な任意の演算装置にも適用可能である。
【００６６】
特定の実施形態を参照して本発明を説明したが、添付の請求の範囲により規定されるように、本発明の範囲から逸脱せずに変更が行なわれてもよいことが理解されるだろう。
【図面の簡単な説明】
【００６７】
【図１】本発明の実施形態を適用できる携帯装置のブロック図である。
【図１】
2009521038.tif 000003
【国際調査報告】
2009521038.tif 000004
2009521038.tif 000005
2009521038.tif 000006